Podtech/llm-jp-corpus-v4-ja_patent huggingface dataset:
【手続補正書】
【提出日】平成19年10月12日(2007.10.12)
【手続補正１】
【補正対象書類名】明細書
【補正対象項目名】特許請求の範囲
【補正方法】変更
【補正の内容】
【特許請求の範囲】
【請求項１】
複数のサスペンション・アームを有する情報記録ディスク装置のランプであって、
前記サスペンション・アーム毎に個別に形成され、このサスペンション・アームを摺動させることにより格納場所に誘導する少なくとも２個のガイド部と、
前記各ガイド部を所定位置に支持する前記２個のガイド部よりも熱膨張率の小さい材料を用いて形成されるガイド支持部材とを備え、
前記ガイド支持部材は、前記各ガイド部と係合する第１の係合部を有し、
前記各ガイド部は、前記第１の係合部に係合する第２の係合部を有する情報記録ディスク装置用ランプ
【請求項２】
前記ガイド支持部材は、前記サスペンション・アームの格納時の中心線に対して直角よりも格納角分傾斜させるか、あるいは前記サスペンション・アームの回転に併せた円弧形状に形成して前記ガイド部と係合する請求項１に記載した情報記録ディスク装置用ランプ。
【請求項３】
前記ガイド支持部材は、金属板を用いて形成され、前記ガイド部の前記第２の係合部の前記反対側の面に傾倒防止支持部が設けられる請求項１に記載した情報記録ディスク装置用ランプ。
【請求項４】
前記ガイド支持部材は、櫛歯状に前記ガイド部の前端縁まで延伸される請求項１に記載した情報記録ディスク装置用ランプ。
【請求項５】
サスペンション・アームが連結された回動型アクチュエータ・アセンブリと、積層された複数の磁気ディスクと、該磁気ディスクの周辺に配置され前記サスペンション・アームを退避するランプと、前記アクチュエータ・アセンブリと前記磁気ディスクと前記ランプとを収納するハウジングとを備える情報記録ディスク装置であって、
前記ランプが請求項１乃至４の何れか１項に記載したランプである情報記録ディスク装置。
【請求項６】
複数のサスペンション・アームを有する情報記録ディスク装置のランプであって、
前記サスペンション・アーム毎に個別に形成され、このサスペンション・アームを摺動させることにより格納場所に誘導する少なくとも２個のガイド部と、
前記各ガイド部を所定位置に支持する前記２個のガイド部よりも熱膨張率の小さい高分子材料を用いて形成されるガイド支持部材とを備え、
前記ガイド支持部材は、前記各ガイド部における支持面と反対側の面同士を連結する橋梁手段よりも前縁側に、前記各ガイド部と係合するための第１の係合部を有し、
前記各ガイド部は、前記第１の係合部に係合する第２の係合部を有し、
前記ガイド支持部材は、前記各ガイド部の前記反対側の面同士の間を埋めるガイド間隙部を有する情報記録ディスク装置用ランプ。
【請求項７】
前記第１の係合部は、前記ガイド支持部材における前記各ガイド間隙部に設けられ、前記第２の係合部は、前記ガイド部における前記第１の係合部と対向する位置に設けられる請求項６に記載した情報記録装置用ランプ。
【請求項８】
前記第１の係合部及び第２の係合部は、相互に形状が組合わさる鈎型である請求項７に記載した情報記録ディスク用ランプ。
【手続補正書】
【提出日】平成19年2月23日(2007.2.23)
【手続補正１】
【補正対象書類名】特許請求の範囲
【補正対象項目名】全文
【補正方法】変更
【補正の内容】
【特許請求の範囲】
【請求項１】
半径方向外側及び内側バンドセグメント（２４及び２６）間で半径方向に延びる単一の中空翼形部（２８）を含み、
前記翼形部が、前記半径方向外側及び内側バンドセグメント（２４及び２６）の周方向に間隔を置いた正圧及び負圧側端部（３３及び３５）間に配置され、
前記翼形部が、該翼形部の前縁及び後縁（ＬＥ及びＴＥ）間で軸方向に延びる正圧及び負圧側面（２２及び２３）を備えた翼形部壁（２９）を有し、
前記翼形部壁（２９）が、二分割された空洞（３７）を囲み、
前記翼形部壁（２９）の正圧及び負圧側面（２２及び２３）間で前記二分割空洞（３７）を貫通して延びて、該二分割空洞（３７）を前方及び後方空洞（４１及び４３）に分割する二分割リブ（３９）が設けられており、
前記二分割リブ（３９）と軸方向かつ周方向向きに整列された補強リブ（６０）を更に含み、該補強リブ（６０）は、前記外側バンドセグメント（２４）の半径方向外側面（６２）から該半径方向外側面（６２）に沿って半径方向外向きに延び、かつ該外側バンドセグメント（２４）の正圧側前方コーナ部（６４）から前記二分割リブ（３９）まで軸方向かつ周方向向きに延びる、
ことを特徴とするタービンノズルセグメント（１０）。
【請求項２】
前記翼形部（２８）と前記外側バンドセグメント（２４）との接合部の周りで延びる翼形部フィレット（９１）と、前記二分割リブ（３９）が前記翼形部（２８）の正圧側面（２２）と交わる位置における前記翼形部フィレット（９１）の拡大部分（９３）とを更に含むことを特徴とする、請求項１に記載のタービンノズルセグメント（１０）。
【請求項３】
前記補強リブ（６０）及び前記二分割リブ（３９）が、前記外側バンドセグメント（２４）の後端部（１２８）における該ノズルセグメント（１０）のホイールベース（１２０）から外れて外側に位置する中心平面（４９）付近にほぼ中心があることを特徴とする、請求項１に記載のタービンノズルセグメント（１０）。
【請求項４】
前記翼形部（２８）と前記外側及び内側バンドセグメント（２４及び２６）と前記二分割リブ（３９）と前記補強リブ（６０）とは、一体形であり、単体鋳造品から作られていることを特徴とする、請求項３に記載のタービンノズルセグメント（１０）。
【請求項５】
前記二分割リブ（３９）を貫通する多数のクロスオーバ孔（５８）を更に含むことを特徴とする、請求項１又は請求項４に記載のタービンノズルセグメント（１０）。
【請求項６】
前記補強リブ（６０）が、前記二分割リブ（３９）と軸方向かつ周方向向きに整列されていることを特徴とする、請求項１、請求項２又は請求項５に記載のタービンノズルセグメント（１０）。
【請求項７】
前記補強リブ（６０）が、前記翼形部（２８）に加わる合成ガス荷重の方向（６３）と整列されていることを特徴とする、請求項１又は請求項６に記載のタービンノズルセグメント（１０）。
【手続補正２】
【補正対象書類名】明細書
【補正対象項目名】０００５
【補正方法】変更
【補正の内容】
【０００５】
ある２段式タービンは、外側バンドに取付けられかつ該外側バンドにより片持ち支持された片持ち式第２段ノズルを有する。第１段及び第２段ロータディスク間には、セグメントを内側バンドに固定するためのアクセス通路が殆ど又は全く存在しない。典型的な第２段ノズルは、複数の翼形部又はベーンセグメントを有するように構成される。ダブレット（ｄｏｕｂｌｅｔ）と呼ばれる２ベーン型設計は、極めて一般的な設計である。ダブレットは、ベーンセグメント間の分割線漏れ流を減少させる点で性能上の利点を有する。しかしながら、外側バンド及び支持構造体の長い弦方向長さにより、ダブレットの耐久性が短縮される。長い弦方向長さは、バンドの温度勾配に起因したコーディング（弦変形）応力を増大させ、また翼形部応力の不均一性を増大させる。ベーンダブレットの箱形構造は更に、セグメント内に不均一な応力も生じさせる。一般的にダブレットの後方側ベーンには大きな応力が加わり、これがセグメントの寿命を制限する。
【特許文献１】米国特許第 3540810号明細書
【特許文献２】米国特許第 3628880号明細書
【特許文献３】米国特許第 4153386号明細書
【特許文献４】米国特許第 4257734号明細書
【特許文献５】米国特許第 4297077号明細書
【特許文献６】米国特許第 5090866号明細書
【特許文献７】米国特許第 5120192号明細書
【特許文献８】米国特許第 5516260号明細書
【特許文献９】米国特許第 5591002号明細書
【特許文献１０】米国特許第 5630700号明細書
【特許文献１１】米国特許第 5662160号明細書
【特許文献１２】米国特許第 5634766号明細書
【特許文献１３】米国特許第 5743708号明細書
【特許文献１４】米国特許第 5813832号明細書
【特許文献１５】米国特許第 5820336号明細書
【特許文献１６】米国特許第 6142734号明細書
【特許文献１７】米国特許第 6158955号明細書
【特許文献１８】米国特許第 6227798号明細書
【特許文献１９】米国特許第 6375415号明細書
【特許文献２０】米国特許第6382906 号明細書
【特許文献２１】米国特許第 6435814号明細書
【特許文献２２】米国特許第 6468031号明細書
【特許文献２３】米国特許第 6494677号明細書
【特許文献２４】米国特許出願公開第 2004/0120810号明細書
【特許文献２５】欧州特許出願公開第392664号明細書
【特許文献２６】欧州特許出願公開第1043479号明細書
【手続補正書】
【提出日】平成19年2月22日(2007.2.22)
【手続補正１】
【補正対象書類名】特許請求の範囲
【補正対象項目名】全文
【補正方法】変更
【補正の内容】
【特許請求の範囲】
【請求項１】
タービンのバケットダンパースロットに対するダンパーピンにおいて、
前記バケットダンパースロットに嵌合するような形状に形成された複数のスロット挿入端部（１２）と、
前記スロット挿入端部の間に形成され、バケットＨｉ−Ｃにおけるバケットシャンクポケットの半径方向輪郭を受け入れるような形状に形成された第１のスカラップ部分（１４）とを具備するダンパーピン。
【請求項２】
前記スロット挿入端部（１２）の間で前記第１のスカラップ部分（１４）に対して径方向に正反対の位置にあり且つ前記第１のスカラップ部分（１４）に対して非対称であり、バケットＨｉ−Ｃにおけるバケットシャンクポケットの半径方向輪郭を受け入れるような形状に形成されている第２のスカラップ部分（１６）を更に具備する請求項１記載のダンパーピン。
【請求項３】
前記第１及び第２のスカラップ部分（１４、１６）はほぼＵ字形である請求項２記載のダンパーピン。
【請求項４】
前記第１のスカラップ部分（１４）の中央部及び前記第２のスカラップ部分（１６）の中央部はほぼ平坦な平面である請求項３記載のダンパーピン。
【請求項５】
前記第１のスカラップ部分（１４）の底面（１８）及び前記第２のスカラップ部分（１６）の底面（１８）は製造許容差及び組み立て許容差の範囲内で前記前記バケットシャンクポケットの半径方向輪郭とほぼ平行である請求項４記載のダンパーピン。
【請求項６】
前記第１のスカラップ部分（１４）はほぼＵ字形である請求項１記載のダンパーピン。
【請求項７】
タービンのバケットダンパースロットに対するダンパーピンを製造する方法において、
（ａ）前記バケットダンパースロットに嵌合するような形状の複数のスロット挿入端部（１２）を形成することと、
（ｂ）前記スロット挿入端部の間に、バケットＨｉ−Ｃにおけるバケットシャンクポケットの半径方向輪郭を受け入れるような形状の第１のスカラップ部分（１４）を機械加工することとから成る方法。
【請求項８】
（ｃ）前記スロット挿入端部（１２）の間で前記第１のスカラップ部分（１４）に対して径方向に正反対の位置にあり且つ前記第１のスカラップ部分に対して非対称であり、バケットＨｉ−Ｃにおけるバケットシャンクポケットの半径方向輪郭を受け入れるような形状の第２のスカラップ部分（１６）を機械加工することを更に含む請求項７記載の方法。
【請求項９】
工程（ｂ）は、前記第１のスカラップ部分（１４）をほぼＵ字形に機械加工することにより実施される請求項７記載の方法。
【請求項１０】
タービンのバケットダンパースロットに対するダンパーピンにおいて、
前記バケットダンパースロットに嵌合するような形状に形成された複数のスロット挿入端部（１２）と、
前記スロット挿入端部の間に機械加工された第１のスカラップ部分（１４）と、
前記スロット挿入端部の間で前記第１のスカラップ部分に対して径方向に正反対の位置にあり且つ前記第１のスカラップ部分に対して非対称となるように機械加工され、第１及び第2のスカラップ部分がバケットＨｉ−Ｃにおけるバケットシャンクポケットの半径方向輪郭を受け入れるような形状に形成された第２のスカラップ部分（１６）とを具備するダンパーピン。
【手続補正２】
【補正対象書類名】明細書
【補正対象項目名】０００２
【補正方法】変更
【補正の内容】
【０００２】
タービンバケットにおいては、所定の横断面で、エーロフォイルの凸面側でガスの流れがその方向を反転させるポイントはエーロフォイルＨｉ−Ｃポイントとして知られている。ルート部分Ｈｉ−Ｃポイントとして知られるルート横断面におけるＨｉ−Ｃポイントの場所では、周囲の場所と比べて応力が一般に高くなるため、一般にこのＨｉ−Ｃポイントに特に関心が寄せられている。図１を参照すると、設置場所の制約によりバケット相互間のスペースが狭いバケットの場合、棒状のダンパーピンスロットが機械加工されると、プラットフォームのすぐ下方のＨｉ−Ｃの場所にアンダーカット２（図２の破線を参照）が必然的に生じるような位置にＨｉ−Ｃがあると考えられる。Ｈｉ−Ｃの場所は一般に高い応力を受ける場所であり、アンダーカット２はこの場所においてＫｔ効果と、壁が薄くなることによって応力を更に増加させる。例えば、解析によれば、特定のバケット／ダンパー構造について、Ｋｔは５．０もの高さになりうることが指摘されている。
【特許文献１】米国特許第 3266770号明細書
【特許文献２】米国特許第 4088421号明細書
【特許文献３】米国特許第 5685693号明細書
【特許文献４】米国特許第 4389161号明細書
【特許文献５】米国特許第 5779442号明細書
【特許文献６】米国特許第 5823741号明細書
【特許文献７】米国特許第 5906473号明細書
【特許文献８】米国特許第 5913658号明細書
【特許文献９】米国特許第 6079943号明細書
【特許文献１０】米国特許第 6082963号明細書
【特許文献１１】米国特許第 6390769号明細書
【特許文献１２】米国特許第 6413040号明細書
【特許文献１３】米国特許第 6422807号明細書
【特許文献１４】米国特許第 6450770号明細書
【特許文献１５】米国特許第 6461110号明細書
【特許文献１６】米国特許第 6478540号明細書
【特許文献１７】米国特許第 6481972号明細書
【特許文献１８】米国特許第 6506016号明細書
【手続補正書】
【提出日】平成19年2月20日(2007.2.20)
【手続補正１】
【補正対象書類名】明細書
【補正対象項目名】０００３
【補正方法】変更
【補正の内容】
【０００３】
ドーム組立体は、ドームプレートに固定されかつフレアコーンから半径方向内方に位置する空気スワーラを含む。フレアコーンは、発散形になっており、空気スワーラから半径方向外向きに延びて、空気と燃料を混合しかつその混合物を半径方向外向きに燃焼域内に広げるのを助長する。発散形のデフレクタが、フレアコーンの周りで円周方向にかつ該フレアコーンから半径方向外向きに延びる。デフレクタは、燃焼域内で発生した高温の燃焼ガスがドームプレートに当たるのを防止する。少なくとも一部の公知のデフレクタは、一体に形成された冷却通路を含み、該冷却通路が、空気をフレアコーンに向けて導いて該フレアコーンの背面をインピンジメント冷却することを可能にする。
【特許文献１】米国特許第 3623668号明細書
【特許文献２】米国特許第 4059123号明細書
【特許文献３】米国特許第 4196020号明細書
【特許文献４】米国特許第 4327547号明細書
【特許文献５】米国特許第 4713120号明細書
【特許文献６】米国特許第 4834912号明細書
【特許文献７】米国特許第 5011540号明細書
【特許文献８】米国特許第 5102054号明細書
【特許文献９】米国特許第 5117637号明細書
【特許文献１０】米国特許第 5197638号明細書
【特許文献１１】米国特許第 5239816号明細書
【特許文献１２】米国特許第 5273395号明細書
【特許文献１３】米国特許第 5291732号明細書
【特許文献１４】米国特許第 5307637号明細書
【特許文献１５】米国特許第 5630319号明細書
【特許文献１６】米国特許第 5657633号明細書
【特許文献１７】米国特許第 5725611号明細書
【特許文献１８】米国特許第 5868860号明細書
【特許文献１９】米国特許第 6047539号明細書
【特許文献２０】米国特許第 6073637号明細書
【特許文献２１】米国特許第 6310022号明細書
【特許文献２２】米国特許第 6553768号明細書
【特許文献２３】欧州特許第 0955457号明細書
【手続補正書】
【提出日】平成19年2月20日(2007.2.20)
【手続補正１】
【補正対象書類名】明細書
【補正対象項目名】０００３
【補正方法】変更
【補正の内容】
【０００３】
少なくとも一部の公知のエンジンはまた、エンジンに関する作動条件をモニタするための複数のセンサを含む。例えば、エンジンは、温度、圧力、速度、流量、変位、及び歪みをモニタするセンサを含むことができる。運転中、センサは、極限温度、振動、及び燃焼ガスのような悪い環境条件及び作動条件にされされる可能性がある。時が経過するにつれて、このような条件に継続して曝されることにより、一部のセンサは早期故障を生じる可能性があり、その故障がエンジンの運転及び機体に悪影響を及ぼすおそれがある。エンジンセンサの故障率を低下させるのを促進するために、少なくとも一部の公知のガスタービンエンジンは、重要適用部位における冗長センサ、及び／又はセンサ出力信号をモニタするモニタリングシステムを含む。より具体的には、少なくとも一部の公知のガスタービンエンジンは、故障の後に又は所定のセンサ値に基づいて交換されたセンサ、或いは取付けられているセンサの動作性能と関係なく定期スケジュールにより交換されたセンサを用いて運転される。しかしながら、このような方法では、所望の結果が得られない可能性があり、またセンサが故障してそれを交換するのを待つか、或いは動作可能なセンサを一定時間又は運転時間スケジュールに基づいて交換するのは、費用も掛かるし時間も掛かることになる。
【特許文献１】米国特許第 6314350号明細書
【特許文献２】米国特許第 6326758号明細書
【特許文献３】米国特許第 6439202号明細書
【特許文献４】米国特許第 6456928号明細書
【特許文献５】米国特許第 6481210号明細書
【手続補正書】
【提出日】平成19年2月22日(2007.2.22)
【手続補正１】
【補正対象書類名】明細書
【補正対象項目名】０００５
【補正方法】変更
【補正の内容】
【０００５】
ある２段式タービンは、外側バンドに取付けられかつ該外側バンドにより片持ち支持された片持ち式第２段ノズルを有する。第１段及び第２段ロータディスク間には、セグメントを内側バンドに固定するためのアクセス通路が殆ど又は全く存在しない。典型的な第２段ノズルは、複数の翼形部又はベーンセグメントを有するように構成される。ダブレット（ｄｏｕｂｌｅｔ）と呼ばれる２ベーン型設計は、極めて一般的な設計である。ダブレットは、ベーンセグメント間の分割線漏れ流を減少させる点で性能上の利点を有する。しかしながら、外側バンド及び支持構造体の長い弦方向長さにより、ダブレットの耐久性が短縮される。長い弦方向長さは、バンドの温度勾配に起因したコーディング（弦変形）応力を増大させ、また翼形部応力の不均一性を増大させる。ベーンダブレットの箱形構造は更に、セグメント内に不均一な応力も生じさせる。一般的にダブレットの後方側ベーンには大きな応力が加わり、これがセグメントの寿命を制限する。
【特許文献１】米国特許第 3540810号明細書
【特許文献２】米国特許第 3628880号明細書
【特許文献３】米国特許第 3715170号明細書
【特許文献４】米国特許第 4153386号明細書
【特許文献５】米国特許第 4257734号明細書
【特許文献６】米国特許第 4297077号明細書
【特許文献７】米国特許第 5090866号明細書
【特許文献８】米国特許第 5516260号明細書
【特許文献９】米国特許第 5630700号明細書
【特許文献１０】米国特許第 5645397号明細書
【特許文献１１】米国特許第 5813832号明細書
【特許文献１２】米国特許第 6089822号明細書
【特許文献１３】米国特許第 6158955号明細書
【特許文献１４】米国特許第 6227798号明細書
【特許文献１５】米国特許第 6375415号明細書
【特許文献１６】米国特許第 6382906号明細書
【特許文献１７】米国特許第 6435814号明細書
【特許文献１８】米国特許第 6468031号明細書
【特許文献１９】米国特許第 6494677号明細書
【特許文献２０】米国特許第 6761529号明細書
【手続補正書】
【提出日】平成19年2月22日(2007.2.22)
【手続補正１】
【補正対象書類名】特許請求の範囲
【補正対象項目名】全文
【補正方法】変更
【補正の内容】
【特許請求の範囲】
【請求項１】
半径方向外側及び内側バンドセグメント（２４及び２６）間で半径方向に延びる少なくとも１つの中空翼形部（２８）と、
前記外側バンドセグメント（２４）の後端部（１２８）における時計方向端部（１３８）上に設けられた時計方向に開いたフック（１２４）と、
前記外側バンドセグメント（２４）の後端部（１２８）における反時計方向端部（１４０）上に設けられた反時計方向に開いたフック（１２６）と、
前記外側バンドセグメント（２４）の時計方向端部（１３８）から半径方向外向きに延びる軸方向荷重ストッパ（１４４）と
を含むことを特徴とするタービンノズルセグメント（１０）。
【請求項２】
前記時計方向に開いたフック（１２４）が、Ｃ字形状であることを特徴とする、請求項１に記載のタービンノズルセグメント（１０）。
【請求項３】
前記反時計方向に開いたフック（１２６）が、シップラップフックであることを特徴とする、請求項２に記載のタービンノズルセグメント（１０）。
【請求項４】
該ノズルセグメント（１０）の前記外側バンドセグメント（２４）の後端部（１２８）に設けられた少なくとも１つの後向きに面した荷重面（１５０）を更に含むことを特徴とする、請求項１乃至３のいずれか１項に記載のタービンノズルセグメント（１０）。
【請求項５】
前記外側バンドセグメント（２４）の前端部（１２２）に設けられた前方フック（１０７）を更に含むことを特徴とする、請求項４に記載のタービンノズルセグメント（１０）。
【請求項６】
該タービンノズルセグメント（１０）が、１つの中空翼形部（２８）のみを有し、
前記１つの中空翼形部（２８）が、前記半径方向外側及び内側バンドセグメント（２４及び２６）の周方向に間隔を置いた正圧及び負圧側端部（３３及び３５）間に配置され、
前記翼形部が、該翼形部の前縁及び後縁（ＬＥ及びＴＥ）間で軸方向に延びる正圧及び負圧側面（２２及び２３）を備えた翼形部壁（２９）を有し、
前記翼形部壁（２９）が、二分割された空洞（３７）を囲み、
前記翼形部壁（２９）の正圧及び負圧側面（２２及び２３）間で前記二分割空洞（３７）を貫通して延びて、該二分割空洞（３７）を前方及び後方空洞（４１及び４３）に分割する二分割リブ（３９）が設けられ、
その間にギャップ（５７）を備えた軸方向前方及び後方チャンバ（５３及び５５）を含む二又状インピンジメントバッフル（３０）が設けられ、
それぞれ前記前方及び後方チャンバ（５３及び５５）の前方及び後方バッフル壁（７３及び７５）を貫通するインピンジメント孔（７０）が設けられ、
前記前方及び後方チャンバ（５３及び５５）と流体流連通したプレナムチャンバ（１０５）が設けられ、
前記前方及び後方チャンバ（５３及び５５）が、それぞれ前記前方及び後方空洞（４１及び４３）内に配置されている、
ことを特徴とする、請求項４に記載のタービンノズルセグメント（１０）。
【請求項７】
前記外側バンドセグメント（２４）の半径方向外側面（６２）から該半径方向外側面（６２）に沿って半径方向外向きに延び、かつ該外側バンドセグメント（２４）の正圧側前方コーナ部（６４）から前記二分割リブ（３９）まで軸方向かつ周方向向きに延びる補強リブ（６０）を更に含むことを特徴とする、請求項６に記載のタービンノズルセグメント（１０）。
【請求項８】
前記補強リブ（６０）が、前記二分割リブ（３９）と軸方向かつ周方向向きに整列されていることを特徴とする、請求項７に記載のタービンノズルセグメント（１０）。
【請求項９】
前記二分割リブ（３９）を貫通する多数のクロスオーバ孔（５８）を更に含むことを特徴とする、請求項８に記載のタービンノズルセグメント（１０）。
【請求項１０】
前記翼形部（２８）と前記外側バンドセグメント（２４）との接合部の周りで延びる翼形部フィレット（９１）と、前記二分割リブ（３９）が前記翼形部（２８）の正圧側面（２２）と交わる位置における前記翼形部フィレット（９１）の拡大部（９３）とを更に含むことを特徴とする、請求項９に記載のタービンノズルセグメント（１０）。
【手続補正２】
【補正対象書類名】明細書
【補正対象項目名】０００５
【補正方法】変更
【補正の内容】
【０００５】
ある２段式タービンは、外側バンドに取付けられかつ該外側バンドにより片持ち支持された片持ち式第２段ノズルを有する。第１段及び第２段ロータディスク間には、セグメントを内側バンドに固定するためのアクセス通路が殆ど又は全く存在しない。典型的な第２段ノズルは、複数の翼形部又はベーンセグメントを有するように構成される。ダブレット（ｄｏｕｂｌｅｔ）と呼ばれる２ベーン型設計は、極めて一般的な設計である。ダブレットは、ベーンセグメント間の分割線漏れ流を減少させる点で性能上の利点を有する。しかしながら、外側バンド及び支持構造体の長い弦方向長さにより、ダブレットの耐久性が短縮される。長い弦方向長さは、バンドの温度勾配に起因したコーディング（弦変形）応力を増大させ、また翼形部応力の不均一性を増大させる。ベーンダブレットの箱形構造は更に、セグメント内に不均一な応力も生じさせる。一般的にダブレットの後方側ベーンには大きな応力が加わり、これがセグメントの寿命を制限する。
【特許文献１】米国特許第 3540810号明細書
【特許文献２】米国特許第 3628880号明細書
【特許文献３】米国特許第 4153386号明細書
【特許文献４】米国特許第 4257734号明細書
【特許文献５】米国特許第 4297077号明細書
【特許文献６】米国特許第 4621976号明細書
【特許文献７】米国特許第 5090866号明細書
【特許文献８】米国特許第 5176496号明細書
【特許文献９】米国特許第 5516260号明細書
【特許文献１０】米国特許第 5630700号明細書
【特許文献１１】米国特許第 5813832号明細書
【特許文献１２】米国特許第 6158955号明細書
【特許文献１３】米国特許第 6227798号明細書
【特許文献１４】米国特許第6375415号明細書
【特許文献１５】米国特許第 6382906号明細書
【特許文献１６】米国特許第 6435814号明細書
【特許文献１７】米国特許第 6468031号明細書
【特許文献１８】米国特許第 6494677号明細書
【特許文献１９】米国特許出願公開第 2004/0120810 号明細書
【手続補正書】
【提出日】平成19年1月18日(2007.1.18)
【手続補正１】
【補正対象書類名】明細書
【補正対象項目名】特許請求の範囲
【補正方法】変更
【補正の内容】
【特許請求の範囲】
【請求項１】 燃焼ガス雰囲気中でケイ素含有セラミックおよびケイ素含有セラミック複合材の材料損失を低減する方法であって、エンジンの作動中にケイ素を燃焼用空気内に注入する又は燃焼用燃料に直接注入することにより有効量のケイ素を前記燃焼ガス雰囲気中に注入する工程を含んでおり、このケイ素が元素状ケイ素、ケイ素含有化合物またはこれらの混合物の少なくとも１種のかたちで注入されることを特徴とする、方法。
【請求項２】 ケイ素含有セラミックが、炭化ケイ素、窒化ケイ素、ケイ素−炭化ケイ素、ケイ化モリブデンおよびこれらの混合物より成る群の中から選択される、請求項１記載の方法。
【請求項３】 ケイ素含有セラミック複合材が連続繊維強化セラミック複合材である、請求項１又は２記載の方法。
【請求項４】 繊維が、炭素、炭化ケイ素、炭化ケイ素含有材料およびこれらの混合物より成る群の中から選択される、請求項３記載の方法。
【請求項５】 繊維が繊維表面に少なくとも１種のコーティングを有する、請求項３記載の方法。
【請求項６】 コーティングが、窒化ホウ素、ケイ素ドープ窒化ホウ素、窒化ケイ素、炭化ケイ素、炭素およびこれらの混合物より成る群の中から選択される、請求項５記載の方法。
【請求項７】 燃焼ガス雰囲気が液体燃料、天然ガス、水素または石炭の燃焼生成物を含有する、請求項１乃至６のいずれか１項に記載の方法。
【請求項８】 ケイ素含有化合物が、シロキサン、シラン、シリカ、シリコーン、炭化ケイ素、窒化ケイ素、酸化ケイ素、ケイ酸塩およびエステル、砂ならびにこれらの混合物より成る群の中から選択される、請求項１乃至７のいずれか１項に記載の方法。
【請求項９】 ケイ素またはケイ素含有化合物を固形物、スラリー、液体、液体溶液、噴霧スプレー、気体状物質またはこれらの混合物として注入する、請求項１乃至８のいずれか１項に記載の方法。
【請求項１０】 有効量が燃焼ガスの０．０１〜１０．０重量ppmである、請求項１乃至８のいずれか１項に記載の方法。
【請求項１１】 ケイ素含有セラミックまたはケイ素含有セラミック複合材が燃焼器ライナ、シュラウド、ブレード、ベーン、尾筒またはこれらの混合物であり、燃焼ガス雰囲気が工業用陸上タービン、航空機用エンジン、自動車用エンジンまたは熱交換器の内部である、請求項１乃至１０のいずれか１項に記載の方法。
【請求項１２】 ケイ素含有セラミックまたはケイ素含有複合材がその表面上にシリカの膜を有する、請求項１乃至１１のいずれか１項に記載の方法。
【請求項１３】 燃焼ガス雰囲気が少なくとも５００℃の温度である、請求項１乃至１２のいずれか１項に記載の方法。
【請求項１４】 温度が１０００℃を超える、請求項１３記載の方法。
【請求項１５】 燃焼ガス雰囲気中でケイ素含有セラミックまたはケイ素含有複合材の長期化学的耐久性を維持する方法であって、ケイ素を燃焼用空気内に注入する又は燃焼用燃料に直接注入することによりタービンエンジンまたは熱交換器の作動中にケイ素またはケイ素含有化合物をppmレベルで燃焼ガス中に混合することを含む、方法。
【手続補正書】
【提出日】平成18年12月13日(2006.12.13)
【手続補正１】
【補正対象書類名】明細書
【補正対象項目名】特許請求の範囲
【補正方法】変更
【補正の内容】
【特許請求の範囲】
【請求項１】  供給テーブル、測定素子及び牽伸機構を有し、前記供給テーブルから前記牽伸機構に向かってスライバーを供給して前記牽伸機構を通過させ、前記測定素子を前記供給テーブルと前記牽伸機構との間に配置してスライバーの厚さを測定し、前記測定素子の測定信号に基づいて調整を行ない、前記牽伸機構の下流側にフリースガイド及びスライバートランペットを配置した、スライバーを加工してまとめられたスライバーを形成するために練条機に組込まれる装置であって、スライバー（７；７a 〜７ｆ、７ｃ’、７ｆ）が供給テーブル（６）から測定素子（１４）を経て少なくとも牽伸機構（３）の出口まで、平面図で見て、ほぼ直線的に且つ互いに平行に走行するようにしたことを特徴とする装置。
【請求項２】  スライバー（７；７a 〜７ｆ）がスライバーケンス（５a 〜５ｆ）から供給テーブル（６）の領域（１）へ引出されることを特徴とする請求項１に記載の装置。
【請求項３】  環状に重ねられているスライバー（７’）がスライバーケンス（５）から引き出されることを特徴とする請求項１又は２に記載の装置。
【請求項４】  スライバー（７’）が供給テーブル（６）に向かってある方向（Ｂ）に供給されることを特徴とする請求項１から３のいずれかに記載の装置。
【請求項５】  それぞれのスライバーケンス（５）の領域において、供給テーブル（６）にガイド素子（８a 、８ｂ、８ｃ；８１〜８４）を連携させたことを特徴とする請求項１から４のいずれかに記載の装置。
【請求項６】  ガイド素子（８a 、８ｂ、８ｃ；８1 〜８4 ）が、スライバーケンスから引出されたスライバー（７）をほぼ直線方向（Ａ）に案内できることを特徴とする請求項５に記載の装置。
【請求項７】  ガイド素子（８a 、８ｂ、８ｃ；８1 〜８4 ）がスライバー（７）を互いに平行に案内できることを特徴とする請求項５または６に記載の装置。
【請求項８】  ガイド素子（８a 、８ｂ、８ｃ；８1 〜８4 ）を、スライバー走行方向（Ａ）に互いにずれた位置に設けたことを特徴とする請求項５から７のいずれかに記載の装置。
【請求項９】  ガイド素子（８a 、８ｂ、８ｃ；８1 〜８4 ）のそれぞれが少なくとも１個のトップローラ（９a 〜９ｆ）を含むことを特徴とする請求項５から８のいずれかに記載の装置。
【請求項１０】  ガイド素子（８a 、８ｂ、８ｃ；８1 〜８4 ）が被駆動（４０）素子であることを特徴とする請求項５から９のいずれかに記載の装置。
【請求項１１】  測定素子（１４）が個々のスライバー（７a 〜７ｆ）の厚さの偏差を感知する複数の感知素子（１７）を幅方向に有することを特徴とする請求項１から１０のいずれかに記載の装置。
【請求項１２】  感知素子（１７）を互いに平行に配置したことを特徴とする請求項１１に記載の装置。
【請求項１３】  個々の感知素子（１７）が幅方向の複数位置に現れる厚さ偏差を機械的に感知することを特徴とする請求項１１または１２に記載の装置。
【請求項１４】  感知素子（１７）が、負荷がかかる検知素子（４２）であることを特徴とする請求項１１から１３のいずれかに記載の装置。
【請求項１５】  進路ずれを電気信号に変換する少なくとも１つの測定値変換器（１８）を設けたことを特徴とする請求項１から１４のいずれかに記載の装置。
【請求項１６】  個々の感知素子（１７）からの信号が合計されることを特徴とする請求項１１から１４のいずれかに記載の装置。
【請求項１７】  スライバー（７）がフリースガイド（２７）までほぼ直線的に且つ互いに平行に走行することを特徴とする請求項１から１６のいずれかに記載の装置。
【請求項１８】  スライバー（７）が供給テーブル（６）の領域において互いに接触することを特徴とする請求項１から１７のいずれかに記載の装置。
【請求項１９】  供給テーブル（６）上でのスライバーの幅が、測定素子（１４）の領域及び牽伸機構（３）においてほぼ不変であることを特徴とする請求項１から１８のいずれかに記載の装置。
【請求項２０】  スライバー（７）が方向（Ａ）に走行することを特徴とする請求項１から１９のいずれかに記載の装置。
【請求項２１】  スライバー（７）の少なくとも一部が供給テーブル（６）の上方を走行することを特徴とする請求項１から２０のいずれかに記載の装置。
【請求項２２】  ガイド素子に環状アイレット（１０）を連携させたことを特徴とする請求項５から１０のいずれかに記載の装置。
【請求項２３】  環状アイレット（１０）を、半径方向に回転自在に設けたことを特徴とする請求項２２に記載の装置。
【請求項２４】  供給テーブル、測定素子及び牽伸機構を有し、前記供給テーブルから前記牽伸機構に向かってスライバーを供給して前記牽伸機構を通過させ、前記牽伸機構の下流側にフリースガイド及びスライバートランペットを配置した、スライバーを加工してまとめられたスライバーを形成するため練条機に組込まれる、特に請求項１から２３のいずれかに記載の装置であって、スライバー（７；７a 〜７ｆ、７ｃ’、７ｆ）が平面図で見て供給テーブル（６）から少なくとも牽伸機構（３）の出口まで、ほぼ直線的に且つ互いに平行に走行することを特徴とする装置。
【手続補正書】
【提出日】平成19年2月22日(2007.2.22)
【手続補正１】
【補正対象書類名】明細書
【補正対象項目名】特許請求の範囲
【補正方法】変更
【補正の内容】
【特許請求の範囲】
【請求項１】  式
【化１】
2000248189.tif 000001
（式中、ＡおよびＢは、それぞれ独立して、Ｈ、Ｆ、Ｃｌ、Ｃ1〜Ｃ3アルキルおよびＣ1〜Ｃ3アルコキシから選択される置換基を表す）
のキナクリドンの製造方法であって、
（Ａ）（ａ）少なくとも１種の非置換および／または置換された２，５−ジアリールアミノ−３，６−ジヒドロテレフタル酸；および（ｂ）成分（ａ）１重量部あたり約３〜約１０重量部のポリリン酸；を含有する反応混合物を約１２５℃を超える温度に加熱して、キナクリドン溶融体を形成する工程；と、
（Ｂ）（Ａ）から得られたキナクリドン溶融体を、成分（ａ）の重量を基準にして約１重量％〜約３０重量％の濃硫酸によって処理して、反応混合物を形成する工程；と、
（Ｃ）（Ｂ）の反応混合物を、キナクリドンが実質的に不溶である液体に浸漬する工程；と、
（Ｄ）得られたキナクリドン顔料を回収する工程；と、
を含むことを特徴とする方法。
【請求項２】  該（ａ）少なくとも１種の非置換および／または置換された２，５−ジアリールアミノ−３，６−ジヒドロテレフタル酸が、非置換または置換された２，５−ジアニリノ−３，６−ジヒドロテレフタル酸、非置換または置換された２，５−ジトルイジノ−３，６−ジヒドロテレフタル酸、あるいはそれらの混合物である、請求項１記載の方法。
【請求項３】  該キナクリドンが、非置換キナクリドン、２，９−ジクロロキナクリドン、２，９−ジフルオロキナクリドン、４，１１−ジクロロキナクリドン、２，９−ジメチルキナクリドンおよび２，９−ジメトキシキナクリドンからなる群より選択される、請求項１記載の方法。
【手続補正書】
【提出日】平成18年11月28日(2006.11.28)
【手続補正１】
【補正対象書類名】明細書
【補正対象項目名】特許請求の範囲
【補正方法】変更
【補正の内容】
【特許請求の範囲】
【請求項１】  金属表面上の遮熱コーティングを交換するための水性苛性アルカリ法であって、
（Ａ）後段での交換遮熱コーティングの施工及び熱処理時に剥離層が形成されるのを防ぐべく選択された、２３０℃〜２５０℃の温度、４００ｐｓｉ（２７５８ｋＰａ）〜８００ｐｓｉ（５５１６ｋＰａ）の圧力、５０ｐｐｍ未満の酸素レベルを含む処理条件下で、上記金属表面を、４０〜４５重量％ＫＯＨアルカリ水溶液又は４０〜５０重量％ＮａＯＨ苛性アルカリ水溶液からなる苛性アルカリ水溶液と接触させて該表面から遮熱コーティングを除去し、かつ
（Ｂ）交換遮熱コーティングを施工する
ことを含んでなる方法。
【請求項２】  ニッケルアルミニド含有金属表面、白金ニッケルアルミニド含有金属表面、ＭＣｒＡｌＹアルミニド含有金属表面及びこれらの混合物を処理して遮熱コーティング又は他の苛性アルカリ可溶性のセラミックコーティングを除去するための水性苛性アルカリ法であって、
（Ａ）苛性アルカリ水溶液が上記ニッケルアルミニド、白金ニッケルアルミニド又はそれらの混合物と反応して後段での遮熱コーティングの施工及び熱処理時に剥離層が形成されるのを防ぐべく選択された、２３０℃〜２５０℃の温度、４００ｐｓｉ（２７５８ｋＰａ）〜８００ｐｓｉ（５５１６ｋＰａ）の圧力、５０ｐｐｍ未満の酸素レベルを含む処理条件下で、上記金属表面を、４０〜４５重量％ＫＯＨアルカリ水溶液又は４０〜５０重量％ＮａＯＨ苛性アルカリ水溶液からなる苛性アルカリ水溶液と接触させ、かつ
（Ｂ）遮熱コーティングを施工する
ことを含んでなる方法。
【請求項３】  前記処理条件が５分間〜４時間の処理時間を含む、請求項１又は請求項２記載の方法。
【請求項４】  前記金属表面を苛性アルカリ溶液と窒素雰囲気中又はアルゴン雰囲気中で接触させる、請求項１乃至請求項３のいずれか１項記載の方法。
【請求項５】  前記金属表面がニッケルアルミニドコーティング又は白金ニッケルアルミニドコーティングを含む、請求項１乃至請求項４のいずれか１項記載の方法。
【請求項６】  前記金属表面がエーロフォイルの形態をしている、請求項１乃至請求項５のいずれか１項記載の方法。
【請求項７】  当該方法をオートクレーブチャンバー内で行う、請求項１乃至請求項６のいずれか１項記載の方法。
【請求項８】  前記オートクレーブ雰囲気の酸素含有量が１０ｐｐｍ未満である、請求項７記載の方法。
【手続補正書】
【提出日】平成19年2月20日(2007.2.20)
【手続補正１】
【補正対象書類名】明細書
【補正対象項目名】特許請求の範囲
【補正方法】変更
【補正の内容】
【特許請求の範囲】
【請求項１】  （ａ）  有機ホスフィット及びホスホナイトの群からの少なくとも一つの化合物、（ｂ）（ｉ）  ヒドロキシルアミン誘導体、及び（ｉｉ）  アミンオキシド誘導体からなる群から選択された一つ又はそれより多くの化合物、並びに（ｃ）  立体障害アミン安定剤の群からの少なくとも一つの化合物からなる安定剤組み合わせをポリオレフィンに投入し、この混合物を成形型内に充填し、安定化されたポリオレフィンが溶融するように前記成形型をオーブン中で２８０℃以上に加熱し、前記成形型を少なくとも二軸の回りに回転させ、可塑性材料を壁面に広げ、なお回転させながら前記成形型を冷却し、該成形型を開き、次いで得られた中空製品を取り出すことからなるポリオレフィン中空製品の製造方法。
【手続補正２】
【補正対象書類名】明細書
【補正対象項目名】００２５
【補正方法】変更
【補正の内容】
【００２５】
成分（ａ）  が式（１）  ，（２）  ，（５）  及び（６）  〔式中、ｎは数２であり、そしてｙは数１，２又は３であり、Ａ1 は炭素原子数２ないし１８のアルキレン基、ｐ−フェニレン基又はｐ−ビフェニレン基を表わし、Ｅは、ｙが１である場合は、炭素原子数１ないし１８のアルキル基、−ＯＲ1又は弗素原子を表わし、Ｅは、ｙが３である場合は
、Ｎ（ＣＨ2 ＣＨ2 Ｏ−）3 基を表わし、Ｒ1 ，Ｒ2 及びＲ3 は互いに独立して、炭素原子数１ないし１８のアルキル基、炭素原子数７ないし９のフェニルアルキル基、シクロヘキシル基、フェニル基、又は全体で１ないし１８個の炭素原子を有する１ないし３個のアルキル基により置換された他フェニル基を表わし、Ｒ14は水素原子又は炭素原子数１ないし９のアルキル基を表わし、Ｒ15は水素原子又はメチル基を表わし、Ｘは直接結合を表わし、Ｙは酸素原子を表わし、Ｚは直接結合又は−Ｃ（Ｒ16）2−基を表わし、そしてＲ16
は炭素原子数１ないし４のアルキル基を表わす〕から選択された少なくとも一つの化合物である新規方法が特に重要である。
【手続補正３】
【補正対象書類名】明細書
【補正対象項目名】００２６
【補正方法】変更
【補正の内容】
【００２６】
成分（ａ）  が式（１）  ，（２）  ，（５）  及び（６）  〔式中、ｎは数２であり、そしてｙは数１又は３であり、Ａ1 はｐ−ビフェニレン基を表わし、Ｅは、ｙが１である場合は、炭素原子数１ないし１８のアルコキシ基又は弗素原子を表わし、Ｅは、ｙが３である場合は、Ｎ（ＣＨ2 ＣＨ2 Ｏ−）3 基を表わし、Ｒ1 ，Ｒ2 及びＲ3 は互いに独立して、炭素原子数１ないし１８のアルキル基、又は全体で２ないし１２個の炭素原子を有する２又は３個のアルキル基により置換された他フェニル基を表わし、Ｒ14はメチル基又は第三ブチル基を表わし、Ｒ15は水素原子を表わし、Ｘは直接結合を表わし、Ｙは酸素原子を表わし、Ｚは直接結合、メチレン基又は−Ｃ（ＣＨ3 ）2−基を表わす〕から選択され
た少なくとも一つの化合物である新規方法も同様に重要である。
【手続補正４】
【補正対象書類名】明細書
【補正対象項目名】００４４
【補正方法】変更
【補正の内容】
【００４４】
式（ＩＩＩ  ）の好ましい構造は、式中、Ｇ1 及びＧ2 が独立して、ベンジル基又は置換ベンジル基を表わすものである。Ｇ1 ，Ｇ2 及びＧ3 の各々が同一の残基を表わすことも可能である。Ｇ1 及びＧ2 は好ましくは、８ないし２６個の炭素原子を有するアルキル基も表わし、そして最も好ましくは、１０ないし２６個の炭素原子を有するアルキル基を表わし、そしてＧ3 は好ましくは、１ないし２２個の炭素原子を有するアルキル基を表わし、そして最も好ましくは、メチル基又は置換メチル基を表わす。更に、好ましいアミンオキシドは、式中、Ｇ1 ，Ｇ2及びＧ3 が６ないし３６個の炭素原子を有する同一のアルキ
ル基を表わすものを包含する。好ましくは、Ｇ1 ，Ｇ2 及びＧ3 のための全ての前述の残基が、飽和炭化水素残基又は少なくとも一つの前述の−Ｏ−基、−Ｓ−基、−ＳＯ−基、−ＣＯ2 −基、−ＣＯ−基又は−ＣＯＮ−基を含む飽和炭化水素残基である。当業者は、本発明から逸脱することなく、Ｇ1 ，Ｇ2 及びＧ3 の各々のための他の有用な残基を予想することができるであろう。
式（ＩＩＩ）（式中、Ｇ1 及びＧ2 が独立して、６ないし２２個の炭素原子を有する直鎖状又は分岐鎖状アルキル基を表わし、そしてＧ3 が１ないし２２個の炭素原子を有する直鎖状又は分岐鎖状アルキル基を表わす。）で表される化合物もまた好ましい。式（ＩＩＩ）（式中、Ｇ1 及びＧ2 が互いに独立して、１２ないし２２個の炭素原子を有する直鎖状又は分岐鎖状アルキル基を表わし、そしてＧ3 がメチル基を表わす。）で表される化合物が特に興味深い。式（ＩＩＩ）（式中、Ｇ1 ，Ｇ2 及びＧ3 が互いに独立して、１２ないし２２個の炭素原子を有する直鎖状又は分岐鎖状アルキル基を表わす。）で表される化合物が非常に特に興味深い。特に好ましい成分（ｉｉ）は、ジデシルメチルアミンオキシド、トリデシルアミンオキシド、トリドデシルアミンオキシド及びトリヘキサデシルアミンオキシドからなる群から選択される。
【手続補正書】
【提出日】平成19年10月16日(2007.10.16)
【手続補正１】
【補正対象書類名】特許請求の範囲
【補正対象項目名】全文
【補正方法】変更
【補正の内容】
【特許請求の範囲】
【請求項１】
エレベータのかごドアに設けられたかご側係合部と、
乗場ドアに設けられ、かごの乗場着床時に、前記かご側係合部に係合して前記乗場ドアを前記かごドアに連動させる乗場側係合部と、
前記乗場ドアを案内する乗場側敷居に設けられ、前記乗場ドア全閉時における前記乗場側係合部の下方に配置された凸部と、
前記かごドアを案内するかご側敷居に設けられ、前記かごの乗場着床時に、前記凸部に所定の間隙を有して対向する凹部と、
前記かごの位置を検出するかご位置検出手段と、
このかご位置検出手段による検出結果に基づいて、前記乗場側敷居の凸部と前記かごドアの前記かご側係合部との位置から前記かごドアの戸開閉動作が可能か否かを判定するドア開閉判定手段と
を備えたことを特徴とするエレベータの制御装置。
【請求項２】
ドア開閉判定手段による判定結果に基づいて、かごドアの戸開閉動作が可能か否かをかご内に報知する報知手段を備えたことを特徴とする請求項１に記載のエレベータの制御装置。
【請求項３】
ドア開閉判定手段によりかごドアの戸開動作が不可能と判定された場合に、前記かごドアの戸開動作を規制する規制手段を備えたことを特徴とする請求項１又は請求項２に記載のエレベータの制御装置。
【請求項４】
乗場側係合部は、乗場ドアに回動自在に設けられたドライブローラであり、かご側係合部は、かごドアに設けられ、かごの乗場着床時に前記ドライブローラの両側に上下方向に配置されるベーンであることを特徴とする請求項１から請求項３の何れかに記載のエレベータの制御装置。
【請求項５】
ドア開閉判定手段は、乗場側敷居の凸部がベーン間に配置され、かごドアの戸開動作によって前記ベーンが前記凸部に接触する場合に、かごドアの戸開動作が不可能であると判定することを特徴とする請求項４に記載のエレベータの制御装置。
【手続補正２】
【補正対象書類名】明細書
【補正対象項目名】０００９
【補正方法】変更
【補正の内容】
【０００９】
この発明に係るエレベータの制御装置は、エレベータのかごドアに設けられたかご側係合部と、乗場ドアに設けられ、かごの乗場着床時に、かご側係合部に係合して乗場ドアをかごドアに連動させる乗場側係合部と、乗場ドアを案内する乗場側敷居に設けられ、乗場ドア全閉時における乗場側係合部の下方に配置された凸部と、かごドアを案内するかご側敷居に設けられ、かごの乗場着床時に、凸部に所定の間隙を有して対向する凹部と、かごの位置を検出するかご位置検出手段と、このかご位置検出手段による検出結果に基づいて、乗場側敷居の凸部とかごドアのかご側係合部との位置からかごドアの戸開閉動作が可能か否かを判定するドア開閉判定手段とを備えたものである。
【手続補正３】
【補正対象書類名】明細書
【補正対象項目名】００１０
【補正方法】変更
【補正の内容】
【００１０】
この発明は、エレベータのかごドアに設けられたかご側係合部と、乗場ドアに設けられ、かごの乗場着床時に、かご側係合部に係合して乗場ドアをかごドアに連動させる乗場側係合部と、乗場ドアを案内する乗場側敷居に設けられ、乗場ドア全閉時における乗場側係合部の下方に配置された凸部と、かごドアを案内するかご側敷居に設けられ、かごの乗場着床時に、凸部に所定の間隙を有して対向する凹部と、かごの位置を検出するかご位置検出手段と、このかご位置検出手段による検出結果に基づいて、乗場側敷居の凸部とかごドアのかご側係合部との位置からかごドアの戸開閉動作が可能か否かを判定するドア開閉判定手段とを備える構成としたことで、エレベータのドアの係合装置の配置に対応した凹凸部が乗場側敷居及びかご側敷居に設けられたエレベータ装置でも、エレベータの保守点検時に、かごドアの戸開閉動作を適正位置で実施させることができる。
【手続補正書】
【提出日】平成19年5月14日(2007.5.14)
【手続補正１】
【補正対象書類名】特許請求の範囲
【補正対象項目名】全文
【補正方法】変更
【補正の内容】
【特許請求の範囲】
【請求項１】
五倍子（Wubeizi）、スイカズラ（Lonicera japonica）、タイツリオウギ（Astragalus membranaceus）、地黄（Rehmanniae Radix）、甘草（Glycyrrhizae Radix）、及びオタネニンジン（Panax shinseng）を含むハーブ組成物。
【請求項２】
五倍子（Wubeizi）、スイカズラ（Lonicera japonica）、タイツリオウギ（Astragalus membranaceus）、地黄（Rehmanniae Radix）、甘草（Glycyrrhizae Radix）、及びオタネニンジン（Panax shinseng）を含む、ガンを治療するためのハーブ組成物。
【請求項３】
任意のいずれか２種の成分の重量比が１：１０〜１０：１の範囲である、請求項１または２に記載の組成物。
【手続補正書】
【提出日】平成18年11月16日(2006.11.16)
【手続補正１】
【補正対象書類名】特許請求の範囲
【補正対象項目名】全文
【補正方法】変更
【補正の内容】
【特許請求の範囲】
【請求項１】
分包紙に開口部を介して薬剤を供給した後、シール部材で分包紙を両側から挟持して前記開口部をシールすることにより薬包体を形成するようにした薬剤包装装置において、
前記各シール部材よりも突出し、かつ、前記分包紙に供給した薬剤とは干渉しない位置で、前記分包紙に接触することにより、分包紙内の空気を除去する弾性部材を設けたことを特徴とする薬剤包装装置。
【請求項２】
前記弾性部材は、前記分包紙内の薬剤側から、順次、接触する構成としたことを特徴とする請求項１に記載の薬剤包装装置。
【請求項３】
前記弾性部材は、前記分包紙に対して線接触するように構成したことを特徴とする請求項２に記載の薬剤包装装置。
【請求項４】
前記弾性部材は、分包紙の両側から線接触する２以上のもので構成したことを特徴とする請求項３に記載の薬剤包装装置。
【請求項５】
前記弾性部材は、分包紙の両側でそれぞれ線接触する領域が相違するように配置したことを特徴とする請求項４に記載の薬剤包装装置。
【請求項６】
前記弾性部材は、螺旋状に屈曲しながら突出する線材で構成したことを特徴とする請求項１乃至５のいずれか１項に記載の薬剤包装装置。
【請求項７】
前記弾性部材は、分包紙の一方の片側では外側に、残る他方の片側では内側にそれぞれ配置したことを特徴とする請求項４乃至６のいずれか１項に記載の薬剤包装装置。
【請求項８】
前記弾性部材は、磁性体からなる着脱部を備え、該着脱部を介してシール部材に着脱可能に設けたことを特徴とする請求項１乃至７のいずれか１項に記載の薬剤包装装置。
【請求項９】
前記分包紙の搬送方向を斜め下方とし、前記シール部材によるシール位置を、隣接する２包を仕切る領域としたことを特徴とする請求項１乃至８のいずれか１項に記載の薬剤包装装置。
【手続補正２】
【補正対象書類名】明細書
【補正対象項目名】０００７
【補正方法】変更
【補正の内容】
【０００７】
本発明は、前記課題を解決するための手段として、分包紙に開口部を介して薬剤を供給した後、シール部材で分包紙を両側から挟持して前記開口部をシールすることにより薬包体を形成するようにした薬剤包装装置において、
前記各シール部材よりも突出し、かつ、前記分包紙に供給した薬剤とは干渉しない位置で、前記分包紙に接触することにより、分包紙内の空気を除去する弾性部材を設けたものである。この場合、分包紙への薬剤の収容量には、薬剤の種類や処方内容の違いによってばらつきがあるが、ほぼ半分の位置よりも上方とすれば、殆どの場合、薬剤との干渉を回避することができる。また、弾性部材が収容した錠剤，カプセル等の薬剤に干渉した場合であっても、弾性部材が線接触するように構成されているため、容易に弾性変形し、薬剤を損傷させることがない。
【手続補正３】
【補正対象書類名】明細書
【補正対象項目名】０００８
【補正方法】変更
【補正の内容】
【０００８】
また、前記弾性部材は、分包紙内の薬剤側から、順次、線接触する構成とすると、最初の線接触で、薬剤の排出を確実に防止した状態で、順次、内部の空気を、空気圧を急激に増大させることなく、排出することが可能となる点で好ましい。
【手続補正４】
【補正対象書類名】明細書
【補正対象項目名】０００９
【補正方法】変更
【補正の内容】
【０００９】
前記弾性部材は、前記分包紙に対して線接触するように構成するのが好ましい。
【手続補正５】
【補正対象書類名】明細書
【補正対象項目名】００１０
【補正方法】削除
【補正の内容】